(57)【特許請求の範囲】
【請求項１】
データ通信可能に接続された複数のコンピュータ端末から成るコンピュータネットワークに接続され、前記コンピュータ端末に対して構築されたコンテンツアプリケーションに基づくコンテンツを提供するサーバコンピュータと、該サーバコンピュータにアクセス可能とされ、前記コンテンツアプリケーションを構築するための操作端末と、から成り、
前記サーバコンピュータは、
前記コンテンツアプリケーションを構成する複数の各ページに該当し、当該ページの種別に対応するページアイコンを生成して、該生成したページアイコンを前記操作端末に配信するページアイコン生成手段と、
該ページアイコン生成手段にて生成されたページアイコンの選択操作に基づき、該選択されたページアイコンの種別に対応する所定のページ内容受付ページを前記操作端末に配信する配信手段と、
前記選択されたページアイコンが対応する前記配信された所定のメージ内容受付ページの内容を記憶するページ内容記憶手段と、
前記各ページの連携指示を、前記ページアイコン生成手段にて生成された連携対象のページアイコンのドラッグアンドドロップ操作により受け付ける連携指示受付手段と、
該連携指示受付手段にて受付けた連携指示に基づき、連携対象となるページを特定し、該特定した双方のページに所定の連携処理を実施する連携処理手段と、
該連携処理手段にて連携処理された各ページから成るコンテンツアプリケーションの登録を受け付ける登録手段と、
を備えることを特徴とするコンテンツアプリケーション構築システム。
【請求項２】
前記コンピュータ端末が携帯電話を含み、前記コンテンツアプリケーションは、各携帯電話のサービス提供者に対応する複数のマークアップ言語に対応したコンテンツアプリケーションであって、
前記ページ内容受付ページは、各携帯電話のサービス提供者のマークアップ言語に対応する画像ファイルのファイル形式に関する情報を少なくとも有する案内情報を含む請求項１に記載のコンテンツアプリケーション構築システム。
【請求項３】
前記コンピュータ端末が携帯電話を含み、前記コンテンツアプリケーションは、各携帯電話のサービス提供者に対応する複数のマークアップ言語に対応したコンテンツアプリケーションであって、
前記ページ内容受付ページは、該ページ内容受付ページにおいて受け付けた文字数と各携帯電話のサービス提供者のマークアップ言語に対応した入力可能最大文字数とに基づく入力可能文字残数の情報を少なくとも有する案内情報を含む請求項２に記載のコンテンツアプリケーション構築システム。
【請求項４】
前記登録手段は、新たに構築するコンテンツアプリケーションを特定するための識別符号を発行し、該識別符号に対応付けてコンテンツアプリケーションを登録するとともに、前記識別符号或いは識別符号を特定可能な情報の受付に基づき、該受付けた識別符号にて特定されるコンテンツアプリケーションを構成する各ページのページアイコンを、各ページの連携態様を特定可能なツリー構造表示にて配信し、前記ページ内容記憶手段、或いは前記連携指示受付手段と連携処理手段のいずれかによる修正を受付ける請求項１〜３のいずれかに記載のコンテンツアプリケーション構築システム。
【発明の詳細な説明】
【技術分野】
【０００１】
本発明は、インターネット等のコンピュータネットワークに接続されたサーバコンピュータ上に、操作端末を用いて、遠隔にてコンテンツアプリケーションを構築することのできるコンテンツアプリケーション構築システムに関する。
【背景技術】
【０００２】
近年、インターネット網の急速な発展とともに、これらオープンコンピュータネットワークであるインターネット網へのアクセス機能を有する携帯電話の著しい普及や、パソコンの家庭内への浸透により、これらコンピュータ端末に対して各種のコンテンツを配信して種々のサービス等を実施することがなされている。
【０００３】
これら各種のコンテンツを前記携帯電話やパソコン等のコンピュータ端末に配信する場合には、これら配信するコンテンツに応じてコンテンツアプリケーションを、ハイパーテキストマークアップラングエッジ（ＨＴＭＬ）等に例示されるマークアップ言語等の所定の記述言語にて構築（プログラム）する必要があるが、これらの構築作業を、各種のデータを内在する前記サーバコンピュータに一々出向いて実施すると、これら構築作業が面倒なものとなってしまい、迅速性を要求されるコンテンツの配信には対応できないという問題があった。
【０００４】
このため、これらの問題を解決する手法として、前記サーバコンピュータに操作端末から遠隔にてアクセスし、該操作端末における操作により、前記サーバコンピュータ上に新たなコンテンツアプリケーションを構築或いは変更できるシステムが実用化されてきている。
【発明の開示】
【発明が解決しようとする課題】
【０００５】
これら遠隔にてコンテンツアプリケーションを構築或いは変更できるようにしたシステムにおいては、前述のように、これらの構築或いは変更を遠隔にてほぼリアルタイムに実施できることから、迅速性を要求されるコンテンツの配信に対応でき、且つこれら構築作業において前記サーバコンピュータに一々出向く必要がなく、その労力を大幅に軽減できるものの、遠隔にて構築や変更の操作を実施する必要があることから、これら構築作業や変更作業の操作性に乏しいことから、より視覚かつ直感的に構築作業や変更作業を簡便に実施することのできるシステムが切望されていた。
【０００６】
よって、本発明は上記した問題点に着目してなされたもので、遠隔によるコンテンツアプリケーションの構築や変更の操作を視覚的かつ直感的に簡便に実施することのできるコンテンツアプリケーション構築システムを提供することを目的としている。
【課題を解決するための手段】
【０００７】
上記課題を解決するために、本発明の請求項１に記載のコンテンツアプリケーション構築システムは、
データ通信可能に接続された複数のコンピュータ端末から成るコンピュータネットワークに接続され、前記コンピュータ端末に対して構築されたコンテンツアプリケーションに基づくコンテンツを提供するサーバコンピュータと、該サーバコンピュータにアクセス可能とされ、前記コンテンツアプリケーションを構築するための操作端末と、から成り、
前記サーバコンピュータは、
前記コンテンツアプリケーションを構成する複数の各ページに該当し、当該ページの種別に対応するページアイコンを生成して、該生成したページアイコンを前記操作端末に配信するページアイコン生成手段と、
該ページアイコン生成手段にて生成されたページアイコンの選択操作に基づき、該選択されたページアイコンの種別に対応する所定のページ内容受付ページを前記操作端末に配信する配信手段と、
前記選択されたページアイコンが対応する前記配信された所定のメージ内容受付ページの内容を記憶するページ内容記憶手段と、
前記各ページの連携指示を、前記ページアイコン生成手段にて生成された連携対象のページアイコンのドラッグアンドドロップ操作により受け付ける連携指示受付手段と、
該連携指示受付手段にて受付けた連携指示に基づき、連携対象となるページを特定し、該特定した双方のページに所定の連携処理を実施する連携処理手段と、
該連携処理手段にて連携処理された各ページから成るコンテンツアプリケーションの登録を受け付ける登録手段と、
を備えることを特徴としている。
この特徴によれば、前記操作端末において、サーバコンピュータにて生成されて表示されている各ページのページアイコンをドラッグアンドドロップ操作するのみで、各ページ間の連携が自動的に構築されるようになるため、これらコンテンツアプリケーションの構築の操作を視覚的かつ直感的に簡便に実施することができる。
【００１０】
本発明の請求項２に記載のコンテンツアプリケーション構築システムは、請求項１に記載のコンテンツアプリケーション構築システムであって、
前記コンピュータ端末が携帯電話を含み、前記コンテンツアプリケーションは、各携帯電話のサービス提供者に対応する複数のマークアップ言語に対応したコンテンツアプリケーションであって、
前記ページ内容受付ページは、各携帯電話のサービス提供者のマークアップ言語に対応する画像ファイルのファイル形式に関する情報を少なくとも有する案内情報を含むことを特徴としている。
また、本発明の請求項３に記載のコンテンツアプリケーション構築システムは、請求項２に記載のコンテンツアプリケーション構築システムであって、
前記コンピュータ端末が携帯電話を含み、前記コンテンツアプリケーションは、各携帯電話のサービス提供者に対応する複数のマークアップ言語に対応したコンテンツアプリケーションであって、
前記ページ内容受付ページは、該ページ内容受付ページにおいて受け付けた文字数と各携帯電話のサービス提供者のマークアップ言語に対応した入力可能最大文字数とに基づく入力可能文字残数の情報を少なくとも有する案内情報を含むことを特徴としている。
この特徴によれば、各携帯電話のサービス提供者のマークアップ言語に対応した案内情報をページ内容受付ページに含むことで、これら各携帯電話のサービス提供者のマークアップ言語の仕様等を逐次調査して確認する等の手間を省くとともに、一度入力した内容が不具合となってしまうことを事前に回避できる。
【００１１】
本発明の請求項４に記載のコンテンツアプリケーション構築システムは、請求項1〜３のいずれかに記載のコンテンツアプリケーション構築システムであって、
前記登録手段は、新たに構築するコンテンツアプリケーションを特定するための識別符号を発行し、該識別符号に対応付けてコンテンツアプリケーションを登録するとともに、前記識別符号或いは識別符号を特定可能な情報の受付に基づき、該受付けた識別符号にて特定されるコンテンツアプリケーションを構成する各ページのページアイコンを、各ページの連携態様を特定可能なツリー構造表示にて配信し、前記ページ内容記憶手段、或いは前記連携指示受付手段と連携処理手段のいずれかによる修正を受付けることを特徴としている。
この特徴によれば、前記識別符号或いは識別符号を特定可能な情報を入力することで、一度構築したコンテンツアプリケーションを簡便に変更することができるようになるばかりか、該識別符号を秘匿することで、第三者に不正にコンテンツアプリケーションを改竄されることも防止できる。
【発明を実施するための最良の形態】
【００１２】
本発明の実施例を以下に説明する。
【実施例】
【００１３】
図１は、本実施例のコンテンツアプリケーション構築システムの構成を示すブロック図であり、図２は、本実施例に用いたサーバコンピュータの構成を示すブロック図であり、図３は、システム利用者の操作端末であるコンピュータ９における表示画面を示す図である。
【００１４】
まず、本実施例のコンテンツアプリケーション構築システムの構成は、図１に示すように、オープンコンピュータネットワークであるインターネット網１０への接続機能を有するコンピュータ端末としての各携帯電話会社５〜７の携帯電話８ａ，８ｂ，８ｃに対し、登録されているコンテンツアプリケーションに基づく各種コンテンツを、前記インターネット網１０を介して提供するサーバコンピュータ２と、該サーバコンピュータ２に前記インターネット網１０を介してアクセス可能とされたコンテンツアプリケーション構築システムのシステム利用者が操作する操作端末であるコンピュータ９と、から主に構成されている。
【００１５】
尚、前記システム利用者が操作する操作端末としては、以下の説明においては、コンピュータ９を使用した形態を例示するが、これら操作端末は固定設置されるコンピュータ９に限定されるものではなく、インターネット網１０への接続機能を有する携帯電話９’を用いるようにしても良い。
【００１６】
本実施例のコンテンツアプリケーション構築システムに用いた前記サーバコンピュータ２は、図１に示すように、コンテンツアプリケーション構築サービスを提供するサービス提供者の提供センター内に設置されていて、通信装置３を通じてオープンコンピュータネットワークであるインターネット網１０に接続されており、該インターネット網１０に接続されている前記システム利用者が操作するコンピュータ９、並びにコンテンツの受信側コンピュータである携帯電話８ａ，８ｂ，８ｃと前記インターネット網１０を通じてデータ通信可能とされている。
【００１７】
この本実施例において使用したサーバコンピュータ２の構成は、図２に示すように、コンピュ−タ内部にてデ−タの送受を行うデ−タバス１０に、該サーバコンピュータ２が実施するコンテンツアプリケーション構築処理や該構築されたコンテンツアプリケーションに基づく各種コンテンツを配信する配信処理等の各種処理を実施する中央演算処理装置（ＣＰＵ）１１や、ＲＡＭ１２、現在の時刻情報や任意の年月日の曜日等のカレンダ−情報を出力可能なリアルタイムクロック（ＲＴＣ）１７や、前記通信装置３に接続されてデータの送受信を行う通信インターフェイス１３や、磁気ディスクや光磁気ディスクから成り、前記中央演算処理装置（ＣＰＵ）１１が実施する構築用プログラムや該構築用プログラムに用いられる各種受付ページが登録された受付ページデータベース（ＤＢ）や、システム利用者に対し、該システム利用者を特定可能とするために固有に付与された利用者ＩＤとパスワード並びに該システム利用者が構築したコンテンツアプリケーションの識別符号であるコンテンツＩＤとが対応付けて登録されている利用者データベース（ＤＢ）や、サーバコンピュータ２が動作するためのオペレーションシステム（ＯＳ）等が記憶されている記憶装置１５と、が接続された比較的高速の演算処理が可能な通常のコンピュ−タとされている。
【００１８】
以下、システム利用者が前記インターネット網１０を介して本実施例のサーバコンピュータ２にアクセスして前記受信側コンピュータである携帯電話８ａ，８ｂ，８ｃに提供するコンテンツを構築するコンテンツアプリケーション構築処理状況について、図３以降の各図面に基づき説明する。
【００１９】
まず、システム利用者が前記操作端末であるコンピュータ９にてブラウザソフトを起動し、該ブラウザソフト上にてサーバコンピュータ２のＵＲＬを入力してサーバコンピュータ２にアクセスすると、図３に示すトップページがシステム利用者のブラウザソフト上に表示される。
【００２０】
このトップページ上には、予め各利用者に固有に付与された前記利用者ＩＤとパスワードとを入力するための入力部が設けられており、該入力部に自己の利用者ＩＤとパスワードとを入力した後、該入力部下方に設けられている「ログイン」の項目を選択入力する。
【００２１】
該入力に基づき前記サーバコンピュータ２は、入力された利用者ＩＤとパスワードとが、前記利用者データベース（ＤＢ）の登録内容と一致するかを照合して認証を行い、該登録内容が一致する場合には、該利用者ＩＤに対応付けて登録されているコンテンツＩＤを抽出して、該コンテンツＩＤに登録がない場合には、図４に示すように、ツリー構造に何も表示されていない新規コンテンツの画面を配信し、コンテンツＩＤに登録がある場合には、該コンテンツＩＤに対応するコンテンツアプリケーションデータから、対応するツリー構造を生成し、該生成されたツリー構造が表示された図１９に示すコンテンツ修正画面を配信する。
【００２２】
まず、前記コンテンツＩＤの登録がない新規作成の場合について以下に説明すると、該新規作成の場合には、図４に示すツリー構造に何も表示されていない新規コンテンツの画面が操作者のコンピュータ９へ配信されて表示される。
【００２３】
この図４に示す状態において、システム利用者は、表示画面の下方に配列されている各種アイコンから、作成したいページの種別に該当するアイコン、例えば、トップページのメニューページを作成したい場合には、メニューアイコンをダブルクリックするか、或いは図４に示すように、前記ツリー構造の表示領域にドラッグすることで、該メニューページのアイコンがツリー構造の表示領域に作成、表示される。
【００２４】
これら１つ目のページアイコンの作成に伴ってサーバコンピュータ２は、これから構築されるコンテンツプログラムに対応する識別符号としてのコンテンツＩＤを生成するとともに、該コンテンツＩＤに対応するワークアリアを策定して、該ワークアリア内に、新たに作成したページの種類とともに、前記コンテンツＩＤを記憶する。
【００２５】
これらツリー構造の表示領域に作成、表示された各種ページのアイコンは、マウス等の操作により該ツリー構造の表示領域内を任意に移動できるようになっているとともに、該ツリー構造の表示領域内に表示されている各アイコンをダブルクリックすることにより、図６並びに図７に示すような、ページの種別に対応する詳細設定ウインドウが前記受付ページＤＢから読み出されてシステム利用者のコンピュータ９に表示されることで、システム利用者が該ページの詳細な内容を編集することができるようになっている。
【００２６】
尚、本実施例においてこれら前記受付ページＤＢの各種詳細設定ウインドウは、それぞれがモジュール化されており、各ページの種類に該当するモジュールに前記生成したコンテンツＩＤが渡されるようになっている。
【００２７】
本実施例に用いたメニューページの詳細設定ウインドウは、図６に示すような構成とされており、その上部からページタイトル、該ページのＵＲＬアドレス、背景色・文字色、画像ファイル、トップテキストの各項目が設けられており、前記ページタイトルの項目においては該メニューページのページタイトルを受付け、前記背景色・文字色の項目では、背景色並びに文字色を指定の受付け、画像ファイルの項目では、該メニューページに表示するカラー並びにモノクロ用の画像ファイルの変更、削除の受付け、トップテキストの項目では、該メニューページの上部位置に表示されるテキストの受付けを前記サーバコンピュータ２が実施する。
【００２８】
これら各項目の下部位置には、該メニューページに連結された各ページの連結状況が表示されるようになっており、該連結状況表示部の更に下方位置には、該メニューページの下部位置に表示されるテキストテキストの受付けを実施するボトムテキストの項目と、各携帯電話会社毎の入力可能な残り文字数が表示される残り文字数の項目とが設けられており、該残り文字数の項目により、あとどの程度の文字が入力できるのか、或いは、入力した文字数が規定の文字数を越えていないかを確認できるようになっている。
【００２９】
また、詳細設定ウインドウの最下部には、該詳細設定ウインドウにて設定した内容のメニューページをプレビューして確認できる「ページのプレビュー」の選択項目と、該設定内容を保存して設定画面を閉じるための「保存して閉じる」の選択項目と、該設定内容を保存せずに設定画面を閉じるための「保存せずに閉じる」の選択項目とが設けられている。
【００３０】
また、メニューページ以外のページ、例えばテキストページを作成したい場合には、図５に示すように、前記ツリー構造の表示領域に該表示領域の下方に配列されている各種アイコンからテキストのアイコンを選択して表示領域内にドラッグし、該表示領域内に作成されたテキストアイコンをダブルクリックすることで、前記メニューページの場合と同様に、図７に示すようなテキストページの詳細設定ウインドウが表示される。
【００３１】
この本実施例のテキストページの詳細設定ウインドウには、図７に示すように、その上部からページタイトル、該ページのＵＲＬアドレス、背景色・文字色、テキスト、並びに残り文字数の各項目が設けられており、これらの各項目における内容は、前記メニューページの場合と同様とされており、該詳細設定ウインドウ中の残り文字数の項目により、あとどの程度の文字が入力できるのか、或いは、入力した文字数が規定の文字数を越えていないかを、各携帯電話会社５〜７毎に確認できるようになっている。
【００３２】
このように、本実施例では、各携帯電話のサービス提供者のマークアップ言語に対応した案内情報として残り文字数を表示することで、あとどの程度の文字が入力できるのか、或いは、入力した文字数が規定の文字数を越えていないか（越えている場合には、図１４に示すように、マイナスの値が赤い文字にて表示される）を、各携帯電話会社５〜７毎に確認できることから好ましいが、本発明はこれに限定されるものではなく、これら案内情報として、その他の情報、例えば画像ファイルのファイル形式等の案内を表示しても良い。
【００３３】
これらツリー構造の表示領域に表示されている前記メニューページとテキストページとをリンク（連結）させたい場合には、前記テキストページのアイコンをドラッグしてメニューページのアイコンに乗重するドラッグアンドドロップ操作を行うことで、図９に示すように、双方のアイコン間にリンクが形成されたことを示す連結線が表示されるとともに、テキストページがリンクされたメニューページの詳細設定ウインドウには、図１０に示すように、前記連結状態表示部にリンクが形成されたテキストページが、順番１に自動的に登録される。
【００３４】
これらリンク（連結）の形成により構成されたコンテンツアプリケーションにより配信されるコンテンツは、図１１並びに図１２に示すように、図１１のメニュー画面には、図１２に示すデモ用テキストのみページへの移行をおこなうための「１．デモテキスト」のリンク項目が自動的に挿入され、図１２のデモ用テキストのみページには、図１２に示すように、「１．前へ」と「０．ＴＯＰへ戻る」のリンク項目が自動的に挿入される。尚、該デモ用テキストのみページの「１．前へ」と「０．ＴＯＰへ戻る」を選択した場合には、いずれも前記メニューページに戻るようになる。
【００３５】
更に、新たなページとして画像付きテキストページを作成したい場合には、図１２に示すように、前記ツリー構造の表示領域に該表示領域の下方に配列されている各種アイコンから画像付きテキストのアイコンを選択して表示領域内にドラッグし、該表示領域内に作成された画像付きテキストアイコンをダブルクリックすることで、前記メニューページ並びにテキストページの場合と同様に、図１４に示すような画像付きテキストページの詳細設定ウインドウが表示される。
【００３６】
この本実施例の画像付きテキストページの詳細設定ウインドウには、図１４に示すように、前記メニューページの詳細設定ウインドウとほぼ同様な構成とされ、該ページ上に表示される画像ファイルの変更、削除とともに、該画像の上部並びに下部位置に表示されるトップ並びにボトムテキストを受付けるようになっており、これら図１４に示す画像付きテキストページの詳細設定ウインドウにおける設定内容による画像付きテキストページが配信された場合には、図１５に示すような画面となる。
【００３７】
このようにして作成した新たな画像付きテキストページを前記メニューページにリンクさせたい場合には、前記テキストページと同様に、新たに作成した画像付きテキストページのアイコンをメニューページのアイコンにドラッグアンドドロップ操作を行うことで、図１６に示すように、メニューページとの連結線が形成されるとともに、図１７に示すように、該メニューページの詳細設定ウインドウ内における連結状況表示部の内容に該連結された画像付きテキストページが自動的に登録される。
【００３８】
これら連結操作を実施して編集作業（構築作業）が終了した場合には、図１６に示す画面におけるツリー構造表示領域の上部位置に設けられている「保存」の選択項目を選択することで、これら構築されたコンテンツアプリケーションがサーバコンピュータ２の前記記憶装置１５に記憶、保存される。
【００３９】
このようにして構築されたコンテンツアプリケーションに基づく配信画面は、図１８に示すようになり、図１８（ａ）のメニューページ、図１８（ｂ）に示すテキストのみのページと、図１８（ｃ）に示す画像付きテキストページとに、図１８（ａ）に示すメニューページと図１８（ｂ）に示すテキストのみのページの双方のページへの移動を可能とするリンク項目と、図１８（ａ）に示すメニューページと図１８（ｃ）に示す画像付きテキストページの双方のページへの移動を可能とするリンク項目とが挿入されて各ページが配信される。
【００４０】
このようにして一度構築されたコンテンツアプリケーションを、該構築の後に変更する場合には、前記トップページにて利用者ＩＤとパスワードとを入力することで配信される図１９に示すコンテンツ修正画面にて修正を行うことができる。
【００４１】
この図１９に示すコンテンツ修正画面にて、表示されている各ページの連結構成を変更することなく、各ページの内容のみを変更したい場合には、変更したいページのアイコンを、図１９に示すように、マウスの右クリックで選択することで表示されるサブウインドウから「１．編集」を選択することで、該選択ページの詳細設定ウインドウが表示されて、該ページの内容を変更することができる。
【００４２】
また、各ページの連結構成を変更したい場合、例えば、前記テキストページを削除したい場合には、削除したいテキストページをマウスの右クリックで選択して前記サブウインドウを表示させた後、「２．削除」を選択することで、該テキストページのアイコンが削除され、画像付きテキストページのみがメニューページに連結された構成に自動的に変更され、該メニューページの詳細設定ウインドウの連結状況表示部の内容から、該削除されたテキストページが削除されるとともに、画像付きテキストページの順位が２から１へ変更される。
【００４３】
また、連結構成として連結先を変更したい場合には、新たな連結先に連結を変更したいページのアイコンをドラッグアンドドロップ操作することで、古い連結登録が削除されるとともに、新たな連結状態が登録されてコンテンツプログラムが更新されるようになっている。
【００４４】
以上、本発明の実施例を図面により説明してきたが、本発明はこれら実施例に限定されるものではなく、本発明の要旨を逸脱しない範囲における変更や追加があっても本発明に含まれる。
【００４５】
例えば、前記実施例では、オブジェクトアイコンとしての各ページアイコンを、ページの種別毎に生成して、前記ツリー構造の表示領域の下方に配列するように配信して、作成するページの種別を該ページアイコンの選択にて受付けるようにしており、このようにすることは、新規に生成したいオブジェクト（ページ）の種別を、表示されている各種別に対応する表示アイコンを選択するのみて指定できるので、操作性をより向上できることから好ましいが、本発明はこれに限定されるものではなく、これらオブジェクト（ページ）の種別を種別メニューから選択して受け付けたり、種別の入力により受け付けるようにしても良い。
【００４６】
また、前記実施例では、受付けた種別のオブジェクト（ページ）の詳細な内容を、オブジェクト内容受付ページとしての前記詳細設定画面を配信して受け付けるようにしており、このようにすることは、これらオブジェクト内容の登録をより簡便に実施することができることから好ましい。
【００４７】
また、前記実施例では、サーバコンピュータ２へのログインに際して、利用者ＩＤと暗証番号にて、そのシステム利用者が変更することのできるコンテンツアプリケーションを特定するようにしており、このようにすることは、第三者に不正にコンテンツアプリケーションを改竄されることも防止できることから好ましいが、本発明はこれに限定されるものではない。
【００４８】
また、本実施例では、受信者のコンピュータ端末を携帯電話としているが、本発明はこれに限定されるものではなく、これら携帯電話に加えて前記インターネット網に接続可能な通常のパソコンやＰＤＡ端末等であっても良い。
【００４９】
また、前記実施例では、システム利用者のコンピュータ９とサーバコンピュータ２とをインターネット網１０を介して接続しているが、本発明はこれに限定されるものではなく、これらコンピュータ９とサーバコンピュータ２の接続形態はデータ通信可能な接続形態であれば任意の形態を使用することができる。
【００５０】
また、前記実施例では、トップページにおいて、コンテンツアプリケーションに個別に付与される識別符号となるコンテンツＩＤを特定可能な情報として、システム利用者から利用者ＩＤを受け付けるようにしているが、本発明はこれに限定されるものではなく、前記コンテンツＩＤを直接受け付けるようにしても良い。
【図面の簡単な説明】
【００５１】
【図１】本発明の実施例のコンテンツアプリケーション構築システムの構成を示すブロック図である。
【図２】本発明の実施例に用いたサーバコンピュータ２の構成を示すブロック図である。
【図３】本発明の実施例におけるシステム利用者のコンピュータにおける表示画面を示す図である。
【図４】本発明の実施例におけるシステム利用者のコンピュータにおける表示画面を示す図である。
【図５】本発明の実施例におけるシステム利用者のコンピュータにおける表示画面を示す図である。
【図６】本発明の実施例におけるシステム利用者のコンピュータにおける表示画面（詳細設定画面）を示す図である。
【図７】本発明の実施例におけるシステム利用者のコンピュータにおける表示画面（詳細設定画面）を示す図である。
【図８】本発明の実施例におけるシステム利用者のコンピュータにおける表示画面を示す図である。
【図９】本発明の実施例におけるシステム利用者のコンピュータにおける表示画面を示す図である。
【図１０】本発明の実施例におけるシステム利用者のコンピュータにおける表示画面（詳細設定画面）を示す図である。
【図１１】本発明の実施例における受信側コンピュータである携帯電話に表示される表示画面を示す図である。
【図１２】本発明の実施例における受信側コンピュータである携帯電話に表示される表示画面を示す図である。
【図１３】本発明の実施例におけるシステム利用者のコンピュータにおける表示画面を示す図である。
【図１４】本発明の実施例におけるシステム利用者のコンピュータにおける表示画面（詳細設定画面）を示す図である。
【図１５】本発明の実施例における受信側コンピュータである携帯電話に表示される表示画面を示す図である。
【図１６】本発明の実施例におけるシステム利用者のコンピュータにおける表示画面を示す図である。
【図１７】本発明の実施例におけるシステム利用者のコンピュータにおける表示画面（詳細設定画面）を示す図である。
【図１８】本発明の実施例における受信側コンピュータである携帯電話に表示される表示画面を示す図である。
【図１９】本発明の実施例におけるシステム利用者のコンピュータにおける表示画面（コンテンツ修正）を示す図である。
【図２０】本発明の実施例におけるシステム利用者のコンピュータにおける表示画面（コンテンツ修正）を示す図である。
【図２１】本発明の実施例におけるシステム利用者のコンピュータにおける表示画面（詳細設定画面）を示す図である。
【符号の説明】
【００５２】
２      サーバコンピュータ
３      通信装置
４      コンピュータ端末
５      携帯電話会社（キャリアＡ）
６      携帯電話会社（キャリアＢ）
７      携帯電話会社（キャリアＣ）
８ａ    携帯電話
８ｂ    携帯電話
８ｃ    携帯電話
９      コンピュータ（操作端末）
９’    携帯電話（操作端末）
１０    データバス
１１    中央演算処理装置（ＣＰＵ）
１２    ＲＡＭ
１３    通信インターフェイス
１５    記憶装置
１７    リアルタイムクロック（ＲＴＣ）
【図１】
0004546501.tif 000002
【図２】
0004546501.tif 000003
【図３】
0004546501.tif 000004
【図４】
0004546501.tif 000005
【図５】
0004546501.tif 000006
【図６】
0004546501.tif 000007
【図７】
0004546501.tif 000008
【図８】
0004546501.tif 000009
【図９】
0004546501.tif 000010
【図１０】
0004546501.tif 000011
【図１１】
0004546501.tif 000012
【図１２】
0004546501.tif 000013
【図１３】
0004546501.tif 000014
【図１４】
0004546501.tif 000015
【図１５】
0004546501.tif 000016
【図１６】
0004546501.tif 000017
【図１７】
0004546501.tif 000018
【図１８】
0004546501.tif 000019
【図１９】
0004546501.tif 000020
【図２０】
0004546501.tif 000021
【図２１】
0004546501.tif 000022